(57)【要約】【課題】大容量のコンテンツファイルが記録されている記録メディアを用いて再生を行う再生装置において、容易にコンテンツファイルの内容を知り、所望の再生箇所から再生を開始することが可能な再生装置とする。【解決手段】再生装置１００は、ダイジェスト映像の一覧表示の選択項目を管理する関連情報管理部１０４、一画面内にダイジェスト映像の一覧表示を行うためにダイジェスト映像の再生を行うダイジェスト一覧再生部１０６、ユーザ入力部１０５を介して選択された再生箇所の元の動画コンテンツファイルの再生開始時間を関連情報管理部１０４より取得して動画ファイルの再生を制御する再生制御部１０７、ダイジェスト一覧の表示やコンテンツファイルの再生画像を表示する表示部１１２等を備える。【選択図】  図１
2005026850.tif 000002
【特許請求の範囲】
【請求項１】
デジタル著作物であるコンテンツファイルが記録された記録媒体を読み込んで当該コンテンツファイルの再生を行う再生装置であって、
前記記録媒体には、さらに動画である前記コンテンツファイルのダイジェスト映像を記録したダイジェスト映像ファイルが記録され、
前記再生装置は、
前記記録媒体から前記ダイジェスト映像ファイルを読み込む読込手段と、
前記読込手段において読み込まれた動画である前記ダイジェスト映像の少なくとも１つ以上の縮小画面を一画面内に配列して一覧表示を行う表示手段と
を備えることを特徴とする再生装置。
【請求項２】
前記再生装置は、さらに、
前記表示手段において表示されるダイジェスト一覧表示から再生を開始するダイジェスト映像の選択を受け付ける選択受付手段と、
前記選択受付手段により選択されたダイジェスト映像から、ダイジェスト先のコンテンツファイルの再生を行う再生制御手段と
を備えることを特徴とする請求項１記載の再生装置。
【請求項３】
前記選択受付手段における選択は、前記表示手段におけるダイジェスト一覧表示から再生を希望するダイジェスト映像の縮小画面をクリックすることにより行う
ことを特徴とする請求項２記載の再生装置。
【請求項４】
前記記録媒体には、前記ダイジェスト映像ファイルに関連する関連情報が記録され、
前記再生装置は、さらに、
前記関連情報を用いてダイジェスト映像ファイルの管理を行う管理手段を備え、
前記読込手段は、前記記録媒体から前記関連情報を読み取り、
前記管理手段は、前記関連情報を用いて前記選択受付手段により選択されたダイジェスト映像ファイルのダイジェスト先のコンテンツファイルにおける再生開始時間又は場面を特定し、
前記再生制御手段は、前記管理手段により特定された再生開始時間又は場面から前記ダイジェスト先のコンテンツファイルの再生を行う
ことを特徴とする請求項１記載の再生装置。
【請求項５】
前記管理手段は、前記関連情報を用いて前記コンテンツファイル毎の前記ダイジェスト映像ファイルを特定し、
前記表示手段は、前記管理手段において特定された前記ダイジェスト映像ファイルを用いて動画であるダイジェスト映像の一覧表示を行う
ことを特徴とする請求項４記載の再生装置。
【請求項６】
前記関連情報には、前記ダイジェスト映像ファイルのダイジェスト先のコンテンツファイルにおける再生開始時間、前記ダイジェスト映像ファイルの固有番号、前記ダイジェスト映像ファイルのファイル名、前記ダイジェスト映像ファイルのダイジェスト先のコンテンツファイルの固有番号、前記ダイジェスト映像ファイルのダイジェスト先のコンテンツファイルのファイル名のうち少なくとも１つが含まれる
ことを特徴とする請求項４又は請求項５記載の再生装置。
【請求項７】
前記関連情報には、前記ダイジェスト映像ファイルの有無に関する情報、及び前記関連情報の有無に関する情報を示すフラグ情報が含まれる
ことを特徴とする請求項４から請求項６のいづれか一項に記載の再生装置。
【請求項８】
前記記録媒体には前記コンテンツファイルの静止画をスライド的に記録したダイジェスト画像ファイルが記録され、
前記読込手段は、前記ダイジェスト画像ファイルを読み込み、
前記表示手段は、少なくとも１つ以上の前記静止画の縮小画面を一画面内に配列して一覧表示を行うと共に、前記縮小画面毎に前記静止画をスライド的に表示する
ことを特徴とする請求項１記載の再生装置。
【請求項９】
デジタル著作物であるコンテンツファイル及び当該コンテンツファイルに関連する情報が記載されたデータファイルを記録媒体に記録する記録装置であって、
前記コンテンツファイルの内容を要約した動画であるダイジェスト映像ファイルを作成する作成手段と、
前記ダイジェスト映像ファイルを記録媒体に書き込む書込み手段とを備え、
前記ダイジェスト映像ファイルは、前記記録媒体を用いて前記コンテンツファイルの再生を行う再生装置の動画であるダイジェスト映像の一覧表示の縮小画面として用いられる
ことを特徴とする記録装置。
【請求項１０】
前記記録装置は、さらに、
前記ダイジェスト映像ファイルに関連する関連情報を作成する関連情報作成手段と、
前記関連情報作成手段において作成された前記関連情報を記載した第一ファイルを作成するファイル作成手段とを備え、
前記書込み手段は、前記第一ファイルを前記記録媒体に記録する
ことを特徴とする請求項９記載の記録装置。
【請求項１１】
前記関連情報作成手段は、前記関連情報として前記ダイジェスト映像ファイルのダイジェスト先のコンテンツファイルにおける再生開始時間、前記ダイジェスト映像ファイルの固有番号、前記ダイジェスト映像ファイルのファイル名、前記ダイジェスト映像ファイルのダイジェスト先のコンテンツファイルの固有番号、前記ダイジェスト映像ファイルのダイジェスト先のコンテンツファイルのファイル名のうち少なくとも１つを作成する
ことを特徴とする請求項１０記載の記録装置。
【請求項１２】
前記関連情報作成手段は、前記ダイジェスト映像ファイルの有無に関する情報、及び前記関連情報の有無に関する情報を示すフラグ情報を含む関連情報を作成する
ことを特徴とする請求項１０記載の記録装置。
【請求項１３】
前記ファイル作成手段は、前記第一ファイルとして、前記関連情報のみが記載されている専用ファイル、又は前記関連情報以外のファイル情報が記載されているファイルを作成する
ことを特徴とする請求項１０記載の記録装置。
【請求項１４】
前記記録装置は、さらに、
前記コンテンツファイルの静止画をスライド的に記録したダイジェスト画像ファイルを作成する画像作成手段を備え、
前記書込み手段は、前記ダイジェスト画像ファイルを前記記録媒体に書き込み、
前記ダイジェスト画像ファイルは、前記記録媒体を用いて前記コンテンツファイルの再生を行う再生装置側のダイジェスト画像の一覧表示の縮小画面として用いられる
ことを特徴とする請求項９記載の記録装置。
【請求項１５】
デジタル著作物であるコンテンツファイルが記録された記録媒体を読み込んで当該コンテンツファイルの再生を行う再生装置に用いられるプログラムであって、
前記記録媒体には、さらに動画である前記コンテンツファイルのダイジェスト映像を記録したダイジェスト映像ファイルが記録され、
前記プログラムは、
前記記録媒体から前記ダイジェスト映像ファイルを読み込む読込ステップと、
前記読込ステップにおいて読み込まれた動画である前記ダイジェスト映像の少なくとも１つ以上の縮小画面を一画面内に配列して一覧表示を行う表示ステップとをコンピュータに実行させる
ことを特徴とするプログラム。
【請求項１６】
デジタル著作物であるコンテンツファイル及び当該コンテンツファイルに関連する情報が記載されたデータファイルを記録媒体に記録する記録装置に用いられるプログラムであって、
前記コンテンツファイルの内容を要約した動画であるダイジェスト映像ファイルを作成する作成ステップと、
前記ダイジェスト映像ファイルを記録媒体に書き込む書込みステップとをコンピュータに実行させ、
前記ダイジェスト映像ファイルは、前記記録媒体を用いて前記コンテンツファイルの再生を行う再生装置のダイジェスト映像の一覧表示の縮小画面として用いられる
ことを特徴とするプログラム。
【請求項１７】
デジタル著作物であるコンテンツファイル、当該コンテンツファイルの動画であるダイジェスト映像を記録したダイジェスト映像ファイル、及び前記ダイジェスト映像ファイルに関連する関連情報が記録された関連情報ファイルが記録される
ことを特徴とする記録媒体。
【発明の詳細な説明】
【０００１】
【発明の属する技術分野】
本発明は、記録媒体にコンテンツファイルの記録を行う記録装置、及びコンテンツファイルの再生を行う再生装置に関し、特に、ダイジェスト情報を扱う記録装置及び再生装置に関するものである。
【０００２】
【従来の技術】
近年、ＤＶＤ等の記録媒体、ハードディスク等に容量の大きなコンテンツファイル、巨大な動画ファイル等が記録されるため、これらを利用してコンテンツの再生を行う再生装置側においては記録されているコンテンツファイルの内容を簡単に知るためにダイジェスト映像の再生が行われている。
【０００３】
そして、ダイジェスト映像の再生を行う再生装置においては、静止画や動画等の大容量のデジタルコンテンツが格納された記録メディアの内容確認や、所望するコンテンツの検索のために、静止画の縮小画像や動画の先頭画像の縮小画像を作成し、所定の配列形式等で一覧表示を可能にする再生装置がある。
【０００４】
また、動画ファイルにおいては、再生装置側において１つのコンテンツファイル中の特定箇所の検索を行う場合、先頭画像の縮小画像だけでは内容が特定できないという課題を解決するために、再生装置側において、一定の規則に基づいて複数箇所から抽出した静止画像を縮小して一覧表示し、さらに、一覧表示から選択された静止画が関連付けられている元ファイルの該当する箇所からの再生を開始する機能を持ち、再生された内容を確認することで特定箇所の検索を可能にするという再生装置も公開されている（例えば、特許文献１参照）。
【０００５】
【特許文献１】
特開２００１−２１１４２１号公報
【０００６】
【発明が解決しようとする課題】
しかし、再生装置側において、１つの動画ファイルからの複数枚のサムネイル等の静止画の縮小画像を一覧表示しても、例えば、再生時間の長いファイルの場合、記録内容やシーン等が頻繁に変化するようなファイルの場合、検索したい箇所と選択できる静止画の縮小画像とが時間的に離れている場合等においては、抽出されている静止画の縮小画像とファイル内容との関連性が想像し難く、検索したい箇所の前後に該当すると思われる静止画を複数回に渡って選択、再生する等して、動画コンテンツの再生要求箇所の内容を確認しなければならず、再生装置の利用者の手間を要している。
【０００７】
本発明は、前記課題を解決するための発明であり、記録媒体を読み込んでコンテンツファイルのダイジェスト再生を行うことができる再生装置において、動画コンテンツにおいてもユーザの要求する場面からの再生を可能とするダイジェスト一覧表示を行う再生装置を提供することを目的とする。
【０００８】
また、再生装置側のダイジェスト一覧表示に用いるダイジェスト映像ファイルを作成することが可能な記録装置を提供することをも目的とする。
【０００９】
【課題を解決するための手段】
前記課題を解決するために、本発明に係る再生装置は、デジタル著作物であるコンテンツファイルが記録された記録媒体を読み込んで当該コンテンツファイルの再生を行う再生装置であって、前記記録媒体には、さらに動画である前記コンテンツファイルのダイジェスト映像を記録したダイジェスト映像ファイルが記録され、前記再生装置は、前記記録媒体から前記ダイジェスト映像ファイルを読み込む読込手段と、前記読込手段において読み込まれた動画である前記ダイジェスト映像の少なくとも１つ以上の縮小画面を一画面内に配列して一覧表示を行う表示手段とを備えることを特徴とする。
【００１０】
従って、メニュー画面の表示時において複数のダイジェスト映像の縮小画面が従来のようなサムネイル画像の静止画でなく動画として一画面内に表示されるため、再生装置のユーザはダイジェスト映像を動画で確認することができる。
【００１１】
また、本発明に係る記録装置は、デジタル著作物であるコンテンツファイル及び当該コンテンツファイルに関連する情報が記載されたデータファイルを記録媒体に記録する記録装置であって、前記コンテンツファイルの内容を要約した動画であるダイジェスト映像ファイルを作成する作成手段と、前記ダイジェスト映像ファイルを記録媒体に書き込む書込み手段とを備え、前記ダイジェスト映像ファイルは、前記記録媒体を用いて前記コンテンツファイルの再生を行う再生装置の動画であるダイジェスト映像の一覧表示の縮小画面として用いられることを特徴とする。このため、記録装置は、作成手段においてコンテンツファイルのダイジェスト映像を動画として作成して記録メディアに記録することが可能となる。
【００１２】
尚、本発明は、上述のような記録装置及び再生装置として実現できるのみではなく、この記録装置及び再生装置が備える手段をステップとする記録方法及び再生方法、また、当該記録方法及び再生方法をコンピュータ等で実現させるプログラムとして実現したり、当該プログラムをＤＶＤ、ＣＤ−ＲＯＭ等の記録媒体や通信ネットワーク等の伝送媒体を介して流通させることができるのは言うまでもない。
【００１３】
【発明の実施の形態】
以下、本発明の実施の形態に係る再生装置及び記録装置について図面を用いて説明する。
【００１４】
本発明に係る再生装置は、例えばＣＤ−ＲＯＭ、ＤＶＤ等の記録メディア、ハードディスク等に記録されているコンテンツファイルを用いて再生を行うＰＣ、ＤＶＤレコーダ、ＣＤプレーヤ、ＤＶＤプレーヤ等となる。
【００１５】
また、実施の形態の説明において、ダイジェスト再生とは、再生装置１００のユーザがコンテンツの内容を容易に知ることができるように記録メディア１２０に記録されているコンテンツファイルのダイジェスト映像を再生することであり、例えば、記録メディア１２０に記録されているコンテンツファイルが娯楽番組であり、複数のコーナにより番組が提供されているような場合においては、ユーザの好みの出演者の部分からコンテンツの再生を開始したいようなことが往々にして考えられる。このような場合においては、再生装置１００のユーザはダイジェスト映像を確認することで好みの出演者の場面からの再生を行うことが可能となる。
【００１６】
（実施の形態１）
図１は、本実施の形態１に係る再生装置１００の機能ブロック図である。この再生装置１００は、記録メディア１２０に記録されているコンテンツファイルの内容を容易に知るために、メニュー画面の表示時に、動画コンテンツの場合には動画であるダイジェスト映像を一覧表示することを特徴とする。
【００１７】
また、本実施の形態１の説明において関連情報とは、コンテンツファイルのダイジェスト映像ファイルに関連する情報であり、例えば、ダイジェスト映像ファイルの固有番号及びファイル名、ダイジェスト映像ファイルのダイジェスト先のコンテンツファイルの再生開始時間、コンテンツファイルのコンテンツＩＤ及びファイル名等であり、予め定められた特定の文字列であるバイナリー形式で記録することが考え得る。尚、コンテンツＩＤはコンテンツに付与される固有番号であり、記録メディア１２０上で一意に管理される。記録装置５００でのオーサリング時には、記録されるコンテンツ夫々にコンテンツＩＤが付加され、管理ファイルでのコンテンツの特定に利用される。
【００１８】
再生装置１００は、記録メディア１２０上に記録されているファイル情報の読み込みを行う読取部１０１、読取部１０１において読み取った関連情報からユーザ入力部１０５を介して選択されたダイジェスト映像のダイジェスト先の動画コンテンツファイルを検索すると共に、ダイジェスト映像の一覧表示の選択項目を管理する関連情報管理部１０４、リモコン１１１やキーボード等の入力部を介して再生を希望するコンテンツファイル、ダイジェスト映像等の指定を行うユーザ入力部１０５、一画面内にダイジェスト映像の一覧表示を行うためにダイジェスト映像の再生を行うダイジェスト一覧再生部１０６、ユーザ入力部１０５を介して選択された再生箇所の元の動画コンテンツファイルの再生開始時間を関連情報管理部１０４より取得して動画ファイルの再生を制御する再生制御部１０７、再生制御部１０７より指定された再生開始位置からコンテンツファイルの再生を行う再生部１０８、ユーザの選択指示を無線等を介して接続される再生装置１００に対して行うリモコン１１１、ダイジェスト一覧の表示やコンテンツファイルの再生画像を表示する表示部１１２を備える。尚、図１においては、ダイジェスト一覧の表示部１１２と再生における表示部１１２を分けて表示しているが、共通の表示部１１２であることは言うまでもない。
【００１９】
読取部１０１は、記録メディア１２０に記録されているダイジェスト映像ファイルを読み出すダイジェスト映像読取部１０２、及び記録メディア１２０上に記録されているダイジェスト映像ファイルの関連情報を読み取る関連情報読取部１０３を備えている。
【００２０】
尚、再生部１０８は、コンテンツファイルより音声を出力する音声出力部１０９、及び映像の出力を行う映像出力部１１０を備える。
【００２１】
図２は、記録メディア１２０を読み込む再生装置１００のメニュー画面の表示例を示す図である。尚、図２のメニュー画面は一例であり本発明はこれに限定されるものではない。
【００２２】
まず、再生装置１００の読取部１０１において記録メディア１２０が読み込まれると、表示部１１２において、例えば記録されているコンテンツの一覧を表示したコンテンツ一覧画面２０１が表示される。この画面２０１には記録メディア１２０に記録されているコンテンツファイルのファイル名一覧であり、「ニュース」、「映画Ａ」、「試合Ａ」等の表示が行われる。
【００２３】
次に、再生装置１００のユーザはリモコン１１１等を用いてコンテンツ一覧画面２０１から視聴を要求するコンテンツファイルの選択を行う。そして、例えば「ニュース」が選択される場合においては画面２０２が表示される。再生装置１００のユーザはニュース番組を最初から再生を希望する場合においては「再生開始」ボタンをクリックすることにより最初からコンテンツの再生が行われる。
【００２４】
また、ユーザがダイジェスト映像の一覧表示を希望するような場合においては「ダイジェスト表示」のボタンをクリックすることによりダイジェスト映像の一覧画面２０３の表示が行われる。このダイジェスト一覧画面２０３においては、コンテンツファイル「ニュース」に関連して記録メディア１２０に記録されているダイジェスト映像の一覧画面２０３が表示される。このダイジェスト一覧画面２０３には、９つのダイジェスト映像の縮小画面２０３ａが一画面内に配列して表示され、これら縮小画面２０３ａは各々静止画でなく動画で表示される。従って、再生装置１００のユーザは動画コンテンツにおいてもダイジェスト映像の内容を確認することが可能となる。
【００２５】
次に、ユーザ入力部１０５を介してダイジェスト一覧画面２０３から再生を希望する箇所のダイジェスト映像の縮小画面２０３ａを選択することにより、選択箇所からコンテンツファイルの再生画面２０４が表示される。
【００２６】
図３は、本実施の形態１に係る再生装置１００のダイジェスト一覧画面２０３の表示例を示す図である。
【００２７】
例えば、再生装置１００のダイジェスト一覧表示を行うコンテンツファイルが１時間のニュース番組であり、ニュース番組にスポーツ、金融、世界、天気、文化等のアーティクルが含まれている場合においては、記録メディア１２０には各アーティクルに対応するダイジェスト映像ファイルが記録されている。そして、再生装置１００のダイジェスト映像読取部１０２は、これらダイジェスト映像ファイルを読み込み、複数のダイジェスト映像の縮小画面２０３ａを同時に一画面２０３内に表示する。
【００２８】
ユーザはダイジェスト一覧画面２０３上の「どのダイジェスト画面から再生を開始しますか」という指示に従い、再生を希望するダイジェスト映像の縮小画面２０３ａの選択を行う。この選択は、再生を希望する縮小画面２０３ａをクリックすることにより行う。
【００２９】
また、ダイジェスト一覧画面２０３で一度視聴した箇所が繰り返し再生されることを防止するために、例えば、再生装置１００側において、ダイジェスト一覧画面２０３においてダイジェスト再生開始から３０秒後にユーザが再生を希望する縮小画面２０３ａを選択し、再生装置１００の関連情報管理部１０４において記録メディア１２０上の関連情報ファイルからダイジェスト先の動画ファイルの検索と、選択されたダイジェスト映像が該当する再生開始時間の検索に１０秒要するような場合においては、ダイジェスト映像の表示時から４０秒の時点からの再生を開始することも考え得る。
【００３０】
尚、ダイジェスト一覧画面２０３において、各ダイジェスト映像の縮小画面２０３ａに隣接してリンク情報を表示するようにしても良い。このリンク情報としては、総ダイジェスト再生時間、出演者、再生開始位置等である。
【００３１】
図４は、本実施の形態１に係る再生装置１００のダイジェスト再生の動作手順を示すフローチャートである。
【００３２】
まず、再生装置１００の読取部１０１は、記録メディア１２０からファイル情報を読み込んで記録メディア１２０に記録されているコンテンツファイルの一覧画面２０１の表示を行う（Ｓ４０１）。そして、コンテンツ一覧画面２０１よりユーザは再生を希望するコンテンツの選択を行う（Ｓ４０２）。尚、記録メディア１２０に記録されているコンテンツファイルが１つである場合においてはこのようなコンテンツファイルの選択を行う必要はない。
【００３３】
次に、再生装置１００の関連情報読取部１０３は記録メディア１２０から関連情報を読み取り、選択されたコンテンツファイルに対応するダイジェスト映像ファイルが記録されている場合においては、ダイジェスト表示選択画面２０２の表示を行う（Ｓ４０３）。
【００３４】
そして、ユーザがダイジェスト表示選択画面２０２においてダイジェスト表示でなくコンテンツの最初からの再生を希望する場合においては（Ｓ４０４でＮ）、再生開始ボタンを選択してコンテンツファイルの最初からの再生を開始する（Ｓ４０９）。
【００３５】
一方、ユーザがダイジェスト表示を行うことを選択する場合においては（Ｓ４０４でＹ）、関連情報管理部１０４は関連情報から選択されたコンテンツファイルに対応するダイジェスト映像ファイルを特定し、関連情報管理部１０４から指示を受けたダイジェスト映像読取部１０２は記録メディア１２０からダイジェスト映像の読み取りを行い（Ｓ４０５）、ダイジェスト一覧再生部１０６は関連情報管理部１０４を介してダイジェスト映像読取部１０２において読み取られたダイジェスト映像の再生を行うと共に、表示部１１２はダイジェスト一覧画面２０３の表示を行う（Ｓ４０６）。
【００３６】
次に、再生装置１００のユーザはダイジェスト一覧画面２０３から再生を希望するダイジェスト映像の選択を行う（Ｓ４０７）。本実施の形態１に係る再生装置１００のダイジェスト一覧表示は静止画でなく動画で行われるため、ユーザは動画コンテンツにおいても確実に再生を開始する希望箇所を容易に特定することが可能となる。
【００３７】
そして、ダイジェスト一覧再生部１０６はユーザにより選択されたダイジェスト映像を関連情報管理部１０４に伝え、関連情報管理部１０４は関連情報から選択されたダイジェスト映像のダイジェスト先のコンテンツファイルの再生開始時間を特定して再生制御部１０７に伝える。次に、再生制御部１０７は当該再生開始時間からコンテンツファイルの再生を行うように再生部１０８に指示し、再生部１０８はコンテンツファイルの再生を開始する（Ｓ４０８）。
【００３８】
図５は、本実施の形態１に係る記録メディア１２０にコンテンツファイル、関連情報ファイル、ダイジェスト映像ファイルの記録を行う記録装置５００の機能ブロック図である。
【００３９】
そして、本実施の形態１に係る記録装置５００は、実際に再生装置１００のメニュー画面において縮小画面２０３ａとして表示されるダイジェスト映像ファイルの編集を行い、また、ダイジェスト映像ファイルの関連情報を記録した関連情報ファイルを作成する。
【００４０】
記録装置５００は、ダイジェスト映像のオーサリング時に再生開始時間、再生終了時間等のダイジェスト映像の条件入力を行うダイジェスト情報入力部５０１、メタデータ情報ファイル、メニュー定義ファイル、専用ファイル等の作成を行うファイル情報作成部５０２、コンテンツ処理部５０５からコンテンツファイルを読み出すと共にファイル情報作成部５０２から指示に従いダイジェスト映像ファイルの作成を行うダイジェスト映像作成部５０４、記録メディア１２０に記録されるコンテンツファイルの記録、管理を行うコンテンツ処理部５０５、ＤＶＤ等の記録メディア１２０にコンテンツファイル、ダイジェスト映像ファイル、関連情報ファイル等の記録を行うディスク書込み部５０６を備える。
【００４１】
そして、ファイル情報作成部５０２は、ダイジェスト情報入力部５０１からの入力条件等によりコンテンツファイル毎に対応するダイジェスト映像ファイルの関連情報を作成する関連情報作成部５０３を備える。
【００４２】
図６は、本実施の形態１に係る記録装置５００におけるダイジェスト映像ファイルのオーサリング画面６００の表示例を示す図である。尚、図６に示すオーサリング画面６００は一例であり、本発明はこれに限定されるものではない。
【００４３】
オーサリング画面６００は、記録装置５００においてコンテンツファイルのダイジェスト映像ファイルを編集するための画面であり、記録装置５００のユーザはコンテンツＩＤ毎に異なるオーサリング画面によりコンテンツファイルのダイジェスト映像の編集を行うことができる。
【００４４】
オーサリング画面６００には、例えば、記録メディア１２０に記録されるコンテンツファイルの映像ストリーム６０１と、映像ストリーム６０１の映像の選択箇所を特定するためのカーソル６０２と、当該カーソル６０２の位置における映像を表示する画面６０３と、ユーザがダイジェスト再生開始位置を決定するためのボタンであるダイジェスト再生開始ボタン６０４と、ダイジェスト再生終了ポイントを決定するためのダイジェスト再生終了ボタン６０５と、カーソル６０２の位置を変更するための操作ボタン６０６〜６０９とが表示される。そして、ユーザは映像ストリーム６０１及び画面６０３を参照しながら好みのダイジェスト再生を行う開始ポイント及び終了ポイントを選択してダイジェスト映像ファイルを編集する。
【００４５】
図７は、本実施の形態１に係る記録装置５００におけるダイジェスト映像のオーサリング手順を示すフローチャートである。
【００４６】
まず、記録装置５００のユーザはダイジェスト情報入力部５０１を介してオーサリングを行うコンテンツファイルの指定を行う（Ｓ７０１）。このコンテンツファイルの指定により図６に示すようなオーサリング画面６００が表示される。そして、映像ストリーム６０１のカーソル６０２の位置を選択すると（Ｓ７０２）、カーソル６０２の位置に対応する静止画が画面６０３に表示される（Ｓ７０３）。
【００４７】
そして、ユーザはダイジェスト情報入力部５０１を介して映像ストリーム６０１からダイジェスト再生の開始位置を取得する（Ｓ７０４）。この開始位置の取得はダイジェスト再生開始ボタン６０４をクリックすることにより行う。次に、ダイジェスト再生の終了位置を取得する（Ｓ７０５）。この特定はダイジェスト再生終了ボタン６０５をクリックすることにより行う。
【００４８】
次に、ファイル情報作成部５０２からダイジェスト映像の再生開始位置及び再生終了位置の情報を取得したダイジェスト映像作成部５０４は、コンテンツ処理部５０５に記録されているコンテンツファイルを参照しながら、ダイジェスト映像ファイルの作成を行う（Ｓ７０６）。このダイジェスト映像ファイルは、再生装置１００側のメニュー画面の表示時に小画面として表示されるため通常よりもサイズの小さなファイル情報とできる。
【００４９】
そして、ディスク書込み部５０６は、ダイジェスト映像作成部５０４から作成されたダイジェスト映像ファイルとファイル情報作成部５０２において作成された関連情報ファイルとを記録メディア１２０に記録する（Ｓ７０７）。
【００５０】
最後に、記録装置５００のユーザが他のコンテンツファイルのオーサリングを続ける場合は、再度コンテンツファイルの指定（Ｓ７０１）からの処理を行い（Ｓ７０８でＮ）、オーサリングを完了する場合においては（Ｓ７０８でＹ）、一連のオーサリング処理を完了する。
【００５１】
図８は、本実施の形態１に係る記録メディア１２０に記録されているファイル情報の参考図である。尚、本実施の形態１に係る記録メディア１２０は、例えば、ＣＤ−Ｒ、ＣＤ−ＲＷ、ＤＶＤ等のデジタルデータの書き込み可能な記録媒体である。
【００５２】
記録メディア１２０には、ダイジェスト映像の実体が記録されるダイジェスト映像ファイル８０１、メタデータ情報ファイル９００や専用ファイル１２００、メニュー定義ファイル１３００等のファイル形式で関連情報が記録された関連情報ファイル８０２、動画コンテンツの実体が記録されている動画コンテンツファイル８０３が記録されている。尚、メタデータ情報ファイル９００や専用ファイル１２００、メニュー定義ファイル１３００のファイル形式については後述の図９から図１３において説明する。
【００５３】
また、本実施の形態１におけるダイジェスト映像ファイル８０１や関連情報ファイル８０２、及び動画コンテンツファイル８０３は、記録メディア１２０以外により多くの情報の記録を行うことが可能なハードディスク等に記録して、再生装置１００側においてハードディスクを読み込むことにより本発明と同様の効果を得ることも考えられる。
【００５４】
そして、関連情報は記録装置５００において関連情報ファイル８０２に記録される。この際には、関連情報は、メタデータ情報を記録したメタデータ情報ファイル９００に追記したり、１つの専用ファイル１２００に記載したり、メニュー定義情報が記載されたメニュー定義ファイル１３００に追記することが考え得る。また、これらのファイルを組み合わせて利用することが考えられる。すなわち、メタデータ情報ファイル９００とメニュー定義情報ファイル１３００では、元のコンテンツファイルと、対応するダイジェストファイルのファイル名のみを記録し、再生開始時間、再生終了時間の情報は専用ファイル１２００に記録して２つのファイルを参照することが考え得る。以下、関連情報ファイル８０２の形式について説明する。
【００５５】
図９は、本実施の形態１に係る関連情報が記載されたメタデータ情報ファイル９００のデータ構成図である。本実施の形態１に係るメタデータ情報ファイル９００は、コンテンツＩＤに対応してダイジェスト映像ファイル毎に関連情報９０３ｃ、９０４ｃが記録されていることを特徴とする。また、このメタデータ情報ファイル９００は、例えばバイナリー形式のファイル情報となる。
【００５６】
尚、本発明の説明におけるメタデータ情報とは、動画等の映像ファイルに関しては、テレビ番組のコンテンツ名、あらすじ等に関するテキスト情報であり、音楽等の音声ファイルに関しては、ＭＰ３ファイル形式におけるＩＤ３タグにある作者名、演奏者、歌詞、コンテンツ名等に関するテキスト情報、アルバムジャケットの写真等に関する画像情報等である。
【００５７】
メタデータ情報ファイル９００には、ヘッダ部９０１及びエントリ部９０２より構成される。ヘッダ部９０１は、エントリ部９０２に格納されているエントリの個数がｎ個である旨を格納している。また、エントリ部９０２に格納されているエントリの個数は記録メディア１２０に記録されるコンテンツファイルの全個数ｎ個に一致している。
【００５８】
エントリ部９０２はエントリ９０３、９０４等を格納している。エントリ９０３には、それぞれ対応するファイルのコンテンツＩＤ９０３ａと、そのコンテンツＩＤ９０３ａが割り当てられたファイルのメタデータ情報９０３ｂと、関連情報９０３ｃとを格納している。この関連情報９０３ｃは、関連情報作成部５０３において作成され、メタデータ情報ファイル９００はファイル情報作成部５０２において作成される。
【００５９】
関連情報９０３ｃには、ダイジェスト映像ファイルのファイル名及びＩＤ、ダイジェスト映像ファイルが該当している元のコンテンツ内の再生開始時間等が記録され、ダイジェスト映像ファイルが存在しない場合は予め決められた特定のフラグを格納している。
【００６０】
再生装置１００側は、このメタデータ情報ファイル９００から関連情報９０３ｃを読み出すことにより、メニュー画面において選択された１つのコンテンツファイルに対応するダイジェスト映像ファイルを特定してダイジェスト一覧表示を行い、ダイジェスト先のコンテンツファイルの再生開始時間を特定することが可能となる。
【００６１】
また、メタデータ情報ファイル９００に記録されているｍ番目のコンテンツＩＤ＝ｍのファイルが他のコンテンツのダイジェスト映像ファイル自体である場合においては、関連情報９０３ｃには、コンテンツＩＤ＝ｍのファイルがダイジェスト映像ファイルであることを示す予め決められた特定の文字列、例えば「ダイジェスト」、「Ｎｏｔ  Ｃｏｎｔｅｎｔｓ」等が記録されることとなる。
【００６２】
図１０は、本実施の形態１のメタデータ情報ファイル９００に記録される関連情報９０３ｃのデータ構成の一例を示す図である。尚、本図に示すデータ構成は一例である。
【００６３】
図１０においては、関連情報９０３ｃのフィールドのバイト数を規定しておき、予め決められた特定の数値を格納しておいて再生装置１００の関連情報の判別に利用する。例えば、関連情報９０３ｃの先頭領域を、ダイジェスト映像ファイルの再生開始時間１００１の情報とする。この再生開始時間１００１にはダイジェスト映像ファイルのダイジェスト先のコンテンツファイル内での再生開始時間となる。また、再生開始時間１００１の次には８ビットで属性情報１００２を記述する。この属性情報１００２としては、ジャンル、出演者、キーワード等が考え得る。
【００６４】
また、関連情報９０３ｃが関連しているダイジェスト映像ファイルの識別ＩＤ１００３も記載され、この識別ＩＤ１００３を読み出すことにより再生装置１００側においてダイジェスト映像の一覧表示を行うことができる。
【００６５】
図１１は、メタデータ情報ファイル９００に様々な情報を示すフラグ情報１１０１等を設けた場合の参考図である。このフラグ情報１１０１等は、記録装置５００の関連情報作成部５０３において関連情報９０３ｃと共に作成され、再生装置１００の関連情報読取部１０３において読み取られる。
【００６６】
これらのフラグ情報１１０１等はメタデータ情報ファイル９００のヘッダ部９０１、又は関連情報９０３ｃに設けることが考えられる。また、フラグ情報としては、例えば、関連情報９０３ｃの有無を示す情報、ダイジェスト映像ファイルの有無を示す情報、ダイジェスト映像ファイルの総再生時間を示す情報となる。
【００６７】
また、上述したフラグ情報以外に、関連情報９０３ｃの有無を示すフィールド、ダイジェスト映像ファイルの有無を示すフィールド、ダイジェスト映像ファイルの総再生時間を示すフィールドをメタデータ情報ファイル９００に記録することも考え得る。このようなフラグ情報及びフィールドを用いることにより、複数のコンテンツファイルの関連情報９０３ｃを１つのメタデータ情報ファイル９００でより効率的に管理することが可能となる。
【００６８】
図１２は、本実施の形態１に係る関連情報が記載された専用ファイル１２００のデータ構成例を示す図である。専用ファイル１２００は、関連情報からダイジェスト映像ファイルＩＤ１２０２ａ、ダイジェスト先の動画ファイル情報１２０２ｂが記載され、再生装置１００側において再生を行う動画ファイル情報１２０２ｂを特定することによりダイジェスト映像ファイルＩＤ１２０２ａの特定を行うことが可能となる。尚、動画ファイル情報１２０２ｂには、例えば、当該ダイジェスト映像ファイルのダイジェスト先の動画コンテンツファイル名、コンテンツＩＤ、再生開始時間、再生終了時間等となる。
【００６９】
図１３は、本実施の形態１に係る関連情報が記載されたメニュー定義ファイル１３００のデータ構成の参考図である。尚、メニュー定義ファイル１３００とは、ダイジェスト映像ファイルやプレイリストファイルを選択するために利用されるメニューを定義するファイルである。
【００７０】
メニュー定義ファイル１３００には、コンテンツファイルの個数に対応するメニュー部１３０２、１３０３が記録されており、各メニュー部１３０２には、メニューアイテム１３０２ａ、各メニューアイテム選択時に再生される動画ファイルとなる参照する動画ファイル名１３０２ｂ、動画ファイルの一部を示すためにメニュー表示中に再生するダイジェスト映像ファイル名１３０２ｃ、その他のメニュー定義情報１３０２ｄが記録されている。
【００７１】
そして、再生装置１００の関連情報読取部１０３においては、メニュー定義ファイル１３００を読み出すと共に、再生するダイジェスト映像ファイル名１３０２ｃを読み出すことにより、メニュー画面の表示時において該当する動画ファイルに対応するダイジェスト映像ファイルを特定して、ダイジェスト一覧再生部１０６は複数のダイジェスト映像を一覧表示のための再生を行う。
【００７２】
以上より、本実施の形態１に係る再生装置１００は、記録メディア１２０に記録されている動画のダイジェスト映像ファイルを読み取るダイジェスト映像読取部１０２、ダイジェスト映像ファイルの関連情報を読み取る関連情報読取部１０３、ユーザ入力部１０５を介して選択されたダイジェスト映像の元の動画コンテンツファイルを検索すると共に、ダイジェスト映像の一覧表示の選択項目を管理する関連情報管理部１０４、ダイジェスト情報一覧表示のための再生を行うダイジェスト一覧再生部１０６を備える。
【００７３】
従って、本発明に係る再生装置１００は、メニュー画面の表示時において複数のダイジェスト映像の縮小画面が従来のようなサムネイル画像の静止画でなく動画として一画面内に配列して表示されるため、再生装置１００のユーザはダイジェスト一覧表示を動画で確認することができ、記録メディア１２０に大容量の動画コンテンツが記録されて、コンテンツの再生時間の長く、記録内容、シーン等が頻繁に変化するような場合においても、再生装置１００のユーザは所望のダイジェストの検索箇所を簡単かつ迅速に発見することが可能となる。
【００７４】
また、再生装置１００のユーザは、ダイジェスト一覧から再生希望するダイジェスト画面をクリック等により再生箇所を指定すると、指定された場面より再生が開始され、大容量のコンテンツファイルが記録されている記録メディア１２０においても容易に再生を希望する場面からの再生を可能とし、ユーザの操作性を向上させることが可能となる。
【００７５】
また、本発明に係る記録装置５００は、各コンテンツファイルのダイジェスト映像ファイルの作成を行うダイジェスト映像作成部５０４、ユーザのダイジェスト映像ファイルのオーサリングに用いるダイジェスト情報入力部５０１、ダイジェスト映像ファイルの関連情報を作成する関連情報作成部５０３を備える。
【００７６】
従って、記録装置５００のユーザは、ダイジェスト情報入力部５０１を介してオーサリングにより所望のダイジェスト映像を作成して記録メディア１２０に記録することが可能となる。また、関連情報作成部５０３においては、ダイジェスト映像作成部５０４において作成されたダイジェスト映像ファイルに関連する関連情報を記載した関連情報ファイル８０２を作成でき、再生装置１００側において関連情報９０３ｃを読み出すことによりメニュー画面の表示時において容易にダイジェスト映像の一覧表示を行い、再生箇所を特定してから動画コンテンツの再生を行いたいユーザの利便性を向上することが可能となる。
【００７７】
さらに、再生装置１００においてダイジェスト映像ファイルをメニュー画面の表示時に小画面で一覧表示することにより、記録装置５００側において作成されるダイジェスト映像ファイルの画面サイズを小さく、画質を低くすることが可能となり、ダイジェスト映像ファイルのサイズを効果的に小さくして記録メディア１２０に記録することが可能となる。
【００７８】
（実施の形態２）
次に、本発明の他の実施の形態について図１４及び図１５を用いて説明を行う。尚、本実施の形態２においては、再生装置１００側においてメニュー表示時に表示されるダイジェスト映像の一覧表示には上述した実施の形態１における再生装置１００のような動画を用いるのではなく、複数の静止画がスライドのように移り変わってダイジェスト映像の一覧表示を行うことを特徴とする。尚、本実施の形態２においては、上述した実施の形態１と同様の構成については同様の番号を付し詳細な説明は省略する。
【００７９】
図１４は、本実施の形態２に係る再生装置１００の機能ブロック図を示す。この再生装置１００は、記録メディア１２０に記録されているサムネイル等の静止画であるダイジェスト画像を読み取るダイジェスト画像読取部１４０１を備えていることを特徴としている。
【００８０】
再生装置１００は、ダイジェスト画像読取部１４０１において読み取られた静止画を、メニュー画面の表示時に動画コンテンツの場合には関連する静止画プレイリストとしてダイジェスト一覧再生部１０６において表示する。
【００８１】
そして、ダイジェスト一覧表示の表示部１１２においては、静止画がスライドのように移り変わって表示されることとなる。そして、再生装置１００のユーザは、スライドによりダイジェスト映像の内容を確認して、再生を希望する箇所のダイジェスト映像の縮小画面２０３ａをクリック等することにより関連するダイジェスト先のオリジナルのコンテンツファイルの選択箇所からの再生が開始される。
【００８２】
図１５は、本実施の形態２に係る記録装置５００の機能ブロック図を示す。尚、本実施の形態２において記録装置５００は、コンテンツファイル毎に複数の静止画の組み合わせとなるダイジェスト画像を作成するダイジェスト画像作成部１５０１を備えていることを特徴とする。
【００８３】
このダイジェスト画像作成部１５０１は、ダイジェスト画像ファイルの作成時にオーサリング等によりラベルが付与された再生開始時間の画像を静止画として取り出して、それぞれの静止画をスライド的に連結して別のダイジェスト画像ファイルとして作成する。そして、ディスク書込部２０６は、ダイジェスト画像作成部１５０１において作成されたダイジェスト画像ファイルを記録メディア１２０に記録する。尚、ダイジェスト画像作成部１５０１は、それぞれの静止画をスライド的に連結して別のプレイリストとして作成することも考え得る。
【００８４】
以上より、本実施の形態２に係る再生装置１００は、記録メディア１２０よりダイジェスト画像の読み取りを行うダイジェスト画像読取部１４０１を備える。
【００８５】
従って、再生装置１００側のメニュー画面の表示時に、静止画を複数枚スライドさせてダイジェスト一覧表示を行うため、再生装置１００において大容量コンテンツ、巨大コンテンツの内容を、静止画の扱いのみでも簡単に知ることができる。
【００８６】
また、本実施の形態２に係る記録装置５００は、ダイジェスト画像の作成を行うダイジェスト画像作成部１５０１を備えるため、記録装置５００のオーサリング時においては動画ファイルでなく静止画ファイルが記録メディア１２０に記録するため動画のダイジェスト映像ファイルを記録する場合に比べて、記録メディア１２０に記録されるファイル情報の容量を低減できる。
【００８７】
【発明の効果】
以上の説明から明らかなように、本発明に係る再生装置は、メニュー画面の表示時において複数のダイジェスト映像の縮小画面が従来のようなサムネイル画像の静止画でなく動画として一画面内に表示されるため、再生装置のユーザはダイジェストを動画で確認することができ、ユーザは動画コンテンツにおいても所望のダイジェストの検索箇所を簡単かつ迅速に発見できる。
【００８８】
また、再生装置のユーザは、ダイジェスト一覧から再生希望するダイジェスト画面をクリック等により再生箇所を指定すると、指定された場面より再生を開始して、ユーザの操作性を向上できる。
【００８９】
そして、本発明に係る再生装置は、記録メディアよりダイジェスト画像の読み取りを行うダイジェスト画像読取部を備えるため、静止画を複数枚スライドさせることにより、動画コンテンツにおいても、より容易にコンテンツの内容をユーザが理解することが可能となる。
【図面の簡単な説明】
【図１】実施の形態１に係る再生装置の機能ブロック図である。
【図２】記録メディアを読み込む再生装置のメニュー画面の表示例を示す図である。
【図３】実施の形態１に係る再生装置のダイジェスト一覧画面の表示例を示す図である。
【図４】実施の形態１に係る再生装置のダイジェスト再生の動作手順を示すフローチャートである。
【図５】実施の形態１に係る記録メディアにコンテンツファイル、関連情報ファイル、ダイジェスト映像ファイルの記録を行う記録装置の機能ブロック図である。
【図６】実施の形態１に係る記録装置におけるダイジェスト映像ファイルのオーサリング画面の表示例を示す図である。
【図７】実施の形態１に係る記録装置におけるダイジェスト映像のオーサリング手順を示すフローチャートである。
【図８】実施の形態１に係る記録メディアに記録されているファイル情報の参考図である。
【図９】実施の形態１に係る関連情報が記載されたメタデータ情報ファイルのデータ構成図である。
【図１０】実施の形態１のメタデータ情報ファイルに記録される関連情報のデータ構成の一例を示す図である。
【図１１】メタデータ情報ファイルに様々な情報を示すフラグ情報を設けた場合の参考図である。
【図１２】実施の形態１に係る関連情報が記載された専用ファイルのデータ構成例を示す図である。
【図１３】実施の形態１に係る関連情報が記載されたメニュー定義ファイルのデータ構成の参考図である。
【図１４】実施の形態２に係る再生装置の機能ブロック図を示す。
【図１５】実施の形態２に係る記録装置の機能ブロック図を示す。
【符号の説明】
１００  記録装置
１０１  読取部
１０２  ダイジェスト映像読取部
１０３  関連情報読取部
１０４  関連情報管理部
１０５  ユーザ入力部
１０６  ダイジェスト一覧再生部
１０７  再生制御部
１０８  再生部
１１１  リモコン
１１２  表示部
１２０  記録メディア
２０３  ダイジェスト一覧画面
５００  記録装置
５０１  ダイジェスト情報入力部
５０３  ファイル情報作成部
５０４  関連情報作成部
５０５  コンテンツ処理部
５０６  ディスク書込み部
６００  オーサリング画面
８０１  ダイジェスト映像ファイル
８０２  関連情報ファイル
８０３  動画コンテンツファイル
９００  メタデータ情報ファイル
９０３ｃ  関連情報
１２００  専用ファイル
１３００  メニュー定義ファイル
１４０１  ダイジェスト画像読取部
１５０１  ダイジェスト画像作成部
【図１】
2005026850.tif 000003
【図２】
2005026850.tif 000004
【図３】
2005026850.tif 000005
【図４】
2005026850.tif 000006
【図５】
2005026850.tif 000007
【図６】
2005026850.tif 000008
【図７】
2005026850.tif 000009
【図８】
2005026850.tif 000010
【図９】
2005026850.tif 000011
【図１０】
2005026850.tif 000012
【図１１】
2005026850.tif 000013
【図１２】
2005026850.tif 000014
【図１３】
2005026850.tif 000015
【図１４】
2005026850.tif 000016
【図１５】
2005026850.tif 000017